(57)【特許請求の範囲】
【請求項１】
ユーザが指定した送信メッセージを送信する送信手段と、
送られてくる受信メッセージを受信する受信手段と、
表示手段と、
前記送信メッセージおよび前記受信メッセージを前記送信手段および前記受信手段での送信および受信のタイミング順で表示するように、前記送信手段による送信または前記受信手段による受信が行われると、前記表示手段での表示画面を更新させるメッセージ表示制御手段と、
このメッセージ表示制御手段の制御の下に前記表示手段に表示される前記送信メッセージの先頭の位置に第１絵記号を、かつ前記表示手段に表示される前記受信メッセージの先頭の位置に前記第１絵記号とは異なる第２絵記号をそれぞれ受信又は送信メッセージに付加して前記表示手段に表示させる絵記号表示制御手段とを具備し、
前記第１絵記号および前記第２絵記号は、複数種類の絵記号のうちからユーザによりそれぞれ選択された絵記号であることを特徴とする携帯通信端末。
【請求項２】
通信相手を識別する識別情報と絵記号情報とを対応付けて記憶する記憶手段を備え、
かつ前記絵記号表示制御手段は、前記受信メッセージの送信端末の識別情報が前記記憶手段に記憶されている場合にはその識別情報に対応付けて前記記憶手段に記憶されている絵記号を前記第２絵記号として使用することを特徴とする請求項１に記載の携帯通信端末。
【発明の詳細な説明】
【０００１】
【発明の属する技術分野】
本発明は、チャット機能を備えた携帯通信端末に関する。
【０００２】
【従来の技術】
チャットを行うとき、携帯通信端末では送信メッセージと受信メッセージとを時系列的に並べて表示する。このため従来は、送信メッセージと受信メッセージとをユーザが区別することを可能とするために、それぞれの表示色を異ならせている。
【０００３】
しかしながら、このように送信メッセージと受信メッセージとの表示色を異ならせていると、使用色によっては見分け辛かったり、あるいは表示の見栄えが悪くなってしまうなどの不具合があった。
【０００４】
【発明が解決しようとする課題】
以上のように従来の携帯通信端末では、チャット時の表示では送信メッセージと受信メッセージとの表示色を異ならせることでそれらを区別することを可能としていたため、見分け辛かったり、あるいは表示の見栄えが悪い表示となっていた。
【０００５】
本発明はこのような事情を考慮してなされたものであり、その目的とするところは、送信メッセージと受信メッセージとを見分けやすく、かつ見栄えもよい表示を行うことが可能な携帯通信端末を提供することにある。
【０００６】
【課題を解決するための手段】
以上の目的を達成するために、本発明は、ユーザが指定した送信メッセージを送信する送信手段と、送られてくる受信メッセージを受信する受信手段と、表示手段と、前記送信メッセージおよび前記受信メッセージを前記送信手段および前記受信手段での送信および受信のタイミング順で表示するように、前記送信手段による送信または前記受信手段による受信が行われると、前記表示手段での表示画面を更新させるメッセージ表示制御手段と、このメッセージ表示制御手段の制御の下に前記表示手段に表示される前記送信メッセージの先頭の位置に第１絵記号を、かつ前記表示手段に表示される前記受信メッセージの先頭の位置に前記第１絵記号とは異なる第２絵記号をそれぞれ受信又は送信メッセージに付加して前記表示手段に表示させる絵記号表示制御手段とを具備し、前記第１絵記号および前記第２絵記号は、複数種類の絵記号のうちからユーザによりそれぞれ選択された絵記号であることを特徴とする。
【０００７】
このような手段を講じたことにより、送信手段により送信される送信メッセージ情報が表す送信メッセージと受信手段により受信された受信メッセージ情報が表す受信メッセージとが、前記送信手段および前記受信手段での送信および受信のタイミング順で表示手段に表示される。そしてこのとき、送信メッセージの先頭には第１絵記号が、また受信メッセージの先頭には第２絵記号がそれぞれ付加して表示される。従って、表示手段に表示される各メッセージが送信メッセージおよび受信メッセージのいずれであるかを、その先頭に付加されている絵記号が第１絵記号および第２絵記号であるかを確認することで区別することが可能となる。
【００１５】
更に、第１絵記号および第２絵記号は、ユーザ指定に応じて任意に変更される。従って、第１絵記号および第２絵記号をユーザが任意に変更することが可能となる。
【００１６】
また、第２の発明は、前記発明に加えて、通信相手を識別する識別情報と絵記号情報とを対応付けて記憶する記憶手段を備え、かつ前記絵記号表示制御手段は、前記受信メッセージの送信端末の識別情報が前記記憶手段に記憶されている場合にはその識別情報に対応付けて前記記憶手段に記憶されている絵記号を前記第２絵記号として使用することを特徴とする。
【００１７】
このような手段を講じたことにより、第２絵記号は、通信相手の識別情報が前記記憶手段に記憶されている場合には、その識別情報に対応付けて前記記憶手段に記憶されている絵記号とされる。従って、通信相手ごとに第２絵記号を異ならせることが可能となる。
【００１８】
【発明の実施の形態】
以下、図面を参照して本発明の実施形態につき説明する。
【００１９】
（第１の実施形態）
図１は本発明の第１実施形態に係る携帯電話機の要部構成を示す機能ブロック図である。
【００２０】
図１に示すように本実施形態の携帯電話機は、アンテナ１、無線部２、ＣＤＭＡ信号処理部３、圧縮伸長処理部４、ＰＣＭ符号処理部５、通話部６、ユーザインタフェース部７、記憶部８、タイミング回路９および制御部１０を有している。無線部２はさらに、アンテナ共用器（ＤＵＰ）２ａ、受信回路（ＲＸ）２ｂ、周波数シンセサイザ（ＳＹＮ）２ｃおよび送信回路（ＴＸ）２ｄを有する。通話部６はさらに、受話増幅器６ａ、スピーカ６ｂ、マイクロホン６ｃおよび送話増幅器６ｄを有する。ユーザインタフェース部７はさらに、入力部７ａおよび表示部７ｂを有する。
【００２１】
図示しない基地局から送信された無線信号は、アンテナ１で受信されたのち無線部２に入力される。無線部２では、上記無線信号をアンテナ共用器２ａを介して受信回路２ｂに入力し、この受信回路２ｂにおいて周波数シンセサイザ２ｃから出力された受信局部発振信号とミキシングして中間周波信号に周波数変換する。なお、上記周波数シンセサイザ２ｃから発生される受信局部発振信号の周波数は、制御部１０から出力される制御信号によって設定される。
【００２２】
上記受信中間周波信号はＣＤＭＡ信号処理部３に入力される。ＣＤＭＡ信号処理部３では、上記受信中間周波信号を先ず受信チャネルに割り当てられた拡散符号により逆拡散処理し、続いて例えばＱＰＳＫ（Quadrature Phase Shift Keying）変調方式に対応する直交復調を行う。そしてこの変換された復調データを圧縮伸長処理部４に入力する。
【００２３】
圧縮伸長処理部４は、上記ＣＤＭＡ信号処理部３から出力された復調データに対し伸長処理を施したのち、誤り訂正復号処理を行って、ベースバンドの受信音声データまたは受信パケットデータを再生する。そして、受信音声データはＰＣＭ符号処理部５へ、また電子メールやチャットのメッセージデータなどの受信パケットデータは制御部１０へそれぞれ出力する。
【００２４】
ＰＣＭ符号処理部５は、圧縮伸長処理部４から出力された受信音声ディジタルデータをＰＣＭ復号してアナログ受話信号を出力する。このアナログ受話信号は、通話部６の受話増幅器６ａで増幅されたのちスピーカ６ｂより拡声出力される。
【００２５】
一方、通話部６のマイクロホン６ｃに入力された話者の入力音声信号は、送話増幅器６ｄにより適正レベルまで増幅されたのち、ＰＣＭ符号処理部５へと与えられる。そして入力音声信号は、ＰＣＭ符号処理部５にてＰＣＭ符号化処理が施され、送信音声データとして圧縮伸長処理部４に入力される。また、制御部１０において作成された電子メールやチャットのメッセージデータなどのパケットデータは、制御部１０から圧縮伸長処理部４に入力される。
【００２６】
圧縮伸長処理部４は、ＰＣＭ符号処理部５から出力された送信音声データを圧縮し、さらに例えば畳み込み符号化による誤り訂正符号化処理を施したのちＣＤＭＡ信号処理部３へ出力する。これに対し、パケットデータ送信時には、制御部１０から出力された送信パケットデータに対し誤り訂正符号化処理を施してＣＤＭＡ信号処理部３へ出力する。
【００２７】
ＣＤＭＡ信号処理部３は、上記圧縮伸長処理部４から個々に与えられる各種伝送チャネルの送信データを多重化する。さらにこの多重化後の送信データにより搬送波信号を例えばＱＰＳＫ変調し、この変調された搬送波信号に対して、送信チャネルごとに割り当てられたＰＮ符号を用いてスペクトラム拡散処理を施す。そして、これにより拡散符号化された送信信号を無線部２の送信回路２ｄへ出力する。
【００２８】
送信回路２ｄは、上記拡散符号化された送信信号を、周波数シンセサイザ２ｃから発生される送信局部発振信号と合成して無線周波信号に周波数変換する。そして、送信回路２ｄは、制御部１０により通知される送信データレートに基づいて、上記無線周波信号の有効部分だけを高周波増幅し、送信無線周波信号として出力する。この送信回路２ｄから出力された送信無線周波信号は、アンテナ共用器２ａを介してアンテナ１に供給され、このアンテナ１から接続中の基地局へ向けて送信される。
【００２９】
ユーザインタフェース部７の入力部７ａには、ダイヤルキーや発信キー、電源キー、終了キー、音量調節キー、モード指定キーなどのキー群が設けられている。そしてこの入力部７ａは、これらのキーの押下によるユーザ指示を入力する。また表示部７ｂには、ＬＣＤ表示器やＬＥＤランプが設けられている。ＬＣＤ表示器には、通信相手の端末の電話番号や自端末の動作状態をはじめ、ＷＥＢサイトからのダウンロード情報、送受信メールあるいはチャット画面などが表示される。またＬＥＤランプは、図示しないバッテリのDischarge状態を表示するために使用される。
【００３０】
記憶部８は、例えばフラッシュメモリなどを用いてなり、各種の設定情報、各種の受信データ、あるいは本装置で作成された各種の送信データなど、さまざまなデータを記憶保持する。
【００３１】
タイミング回路９は、所定速度の基準クロックを発生する。タイミング回路９は、発生した基準クロックを制御部１０をはじめ動作クロックを必要とする端末内の各回路部に供給する。
【００３２】
制御部１０は、例えばプロセッサを主体としてなり、ソフトウェア処理により各部の制御処理を行うことで、携帯電話機としての動作を実現する。また制御部１０はソフトウェア処理を実行することで、例えば音声通話機能などのような携帯電話機における周知の一般的な機能を実現するための制御手段としての他に、チャット通信処理手段１０ａ、メッセージ表示制御手段１０ｂおよびアイコン表示制御手段１０ｃとして動作する。
【００３３】
ここでチャット通信処理手段１０ａは、通信事業者などにより取り決められた手順に従って、チャットのためのメッセージの送受信を行うための処理を行う。メッセージ表示制御手段１０ｂは、チャット通信処理手段１０ａにより送受信されるメッセージを表示部７ｂに表示させる。アイコン表示制御手段１０ｃは、メッセージ表示制御手段１０ｂにより表示部７ｂに表示されるメッセージに対してアイコンを付加して表示させる。
【００３４】
次に以上のように構成された携帯電話機の動作につき説明する。なお、音声通話機能などのような携帯電話機における一般的な機能を実現するための処理や、チャットのためのメッセージ送受信の処理は従来と同様であるのでその説明は省略する。そしてここでは、チャット実行時におけるメッセージの表示に関する動作につき詳しく説明する。
【００３５】
所定の開始手順を行ってチャット可能状態となったならば制御部１０は、図２に示すようなチャット処理を実行する。
【００３６】
このチャット処理において制御部１０はまず、チャットの終了が指示されるか、受信メッセージが受信されるか、あるいは送信メッセージの指定が開始されるのを待ち受ける（ステップＳＴ１乃至ステップＳＴ３）。
【００３７】
送信メッセージの指定が開始されたことをステップＳＴ３にて確認したならば制御部１０は、例えば入力部７ａでの所定の操作によりなされる送信メッセージの指定を受け付けつつ、その送信メッセージの送信が指定されるのを待ち受ける（ステップＳＴ４およびステップＳＴ５）。そして送信指定がなされたことをステップＳＴ５にて確認したならば制御部１０は、ステップＳＴ４で受け付けた送信メッセージを送信する（ステップＳＴ６）。
【００３８】
続いて制御部１０は、自動付加機能がＯＮに設定されているか否かを確認する（ステップＳＴ７）。自動付加機能とは、送信メッセージと受信メッセージとを識別するための絵記号（以下、アイコンと称する）を送信メッセージおよび受信メッセージに自動的に付加して表示する機能である。そしてこの自動付加機能を有効とするか否かはユーザが任意に設定可能である。
【００３９】
ここで自動付加機能がＯＮに設定されていることを確認したならば制御部１０は、ステップＳＴ６で送信した送信メッセージの先頭に予め用意されている自分アイコンを付加する（ステップＳＴ８）。なお自分アイコンとしては、通信事業者が規定している絵文字のうちの１つを割り当てることとしても良いし、メッセージには使用されない専用のアイコンを割り当てるようにしても良い。制御部１０は、自動付加機能がＯＦＦに設定されていることをステップＳＴ７にて確認した場合にはステップＳＴ８における自分アイコンの付加は行わない。
【００４０】
こののちに制御部１０は、ステップＳＴ８で自分アイコンが付加された送信メッセージまたはステップＳＴ６で送信されたままの送信メッセージを含めるようにチャット画面を更新する。具体的には、制御部１０は、送信メッセージおよび受信メッセージを、その送信および受信が行われたタイミング順で並べたチャット画面を表示部７ｂに表示させる。従って、新たな送信メッセージを現時点での最後のメッセージとして表示するべくチャット画面を更新する。このとき、自動付加機能がＯＮに設定されている場合ならば、送信メッセージの先頭に自分アイコンが表示されることとなる。
【００４１】
チャット画面の更新を完了したならば制御部１０は、ステップＳＴ１乃至ステップＳＴ３の待機状態に戻る。
【００４２】
一方、受信メッセージが受信されたことをステップＳＴ２にて確認したならば制御部１０は、自動付加機能がＯＮに設定されているか否かを確認する（ステップＳＴ１０）。そして自動付加機能がＯＮに設定されていることを確認したならば制御部１０は、今回受信された受信メッセージの先頭に予め用意されている相手アイコンを付加する（ステップＳＴ１１）。なお相手アイコンとしては、通信事業者が規定している絵文字のうちの１つを割り当てることとしても良いし、メッセージには使用されない専用のアイコンを別途搭載し、このアイコンを割り当てるようにしても良い。制御部１０は、自動付加機能がＯＦＦに設定されていることをステップＳＴ１０にて確認した場合にはステップＳＴ１１における相手アイコンの付加は行わない。
【００４３】
こののちに制御部１０は、ステップＳＴ１１で相手アイコンが付加された受信メッセージまたは今回受信されたままの受信メッセージを含めるようにチャット画面を更新する。具体的には、新たな受信メッセージを現時点での最後のメッセージとして表示するべくチャット画面を更新する。このとき、自動付加機能がＯＮに設定されている場合ならば、受信メッセージの先頭に相手アイコンが表示されることとなる。
【００４４】
チャット画面の更新を完了したならば制御部１０は、ステップＳＴ１乃至ステップＳＴ３の待機状態に戻る。
【００４５】
なお、終了指示がなされたことをステップＳＴ１で確認したならば、制御部１０はそれをもってチャット処理を終了する。
【００４６】
図３は自動付加機能がＯＮ設定されている場合のチャット画面の変化の一例を示す図である。
【００４７】
この図に示すように、まずユーザが「おはよう！」なる送信メッセージを指定した場合、この「おはよう！」なる送信メッセージがそのまま送信される。そしてチャット画面は符号Ｄ１を付して示すように、実際に送信した「おはよう！」なる送信メッセージの先頭に自分アイコンＩ１を付加して示すものとなる。
【００４８】
続いて、「おはよう！」なる受信メッセージを受信したならば、そしてチャット画面は符号Ｄ２を付して示すように、実際に受信した「おはよう！」なる受信メッセージの先頭に相手アイコンＩ２を付加してなるメッセージを、表示済みのメッセージに続けて示すものとなる。
【００４９】
さらに、ユーザが「昨日、テレビで○○を見た？」なる送信メッセージを指定した場合、この「昨日、テレビで○○を見た？」なる送信メッセージがそのまま送信される。そしてチャット画面は符号Ｄ３を付して示すように、実際に送信した「昨日、テレビで○○を見た？」なる送信メッセージの先頭に自分アイコンＩ１を付加してなるメッセージを、表示済みのメッセージに続けて示すものとなる。
【００５０】
このように本実施形態によれば、チャット画面にて示されるメッセージのそれぞれの先頭に、送信メッセージには自分アイコンＩ１を、また受信メッセージには相手アイコンＩ２をそれぞれ表示する。従って、各メッセージが送信メッセージであるのか、それとも受信メッセージであるのかを各メッセージに付加されたアイコンに基づいて容易に区別することが可能となる。しかも、メッセージの先頭にアイコンを付加するだけであるから、容易に見分けることが可能であるとともに、見栄えも良い。
【００５１】
さらに本実施形態によれば、各メッセージの先頭にアイコンが表示されているから、このアイコンにより各メッセージの先頭、すなわち並んで示された複数のメッセージの切れ目を容易に認識することが可能となる。
【００５２】
また本実施形態によれば、アイコンが表示できれば良いのであるから、表示部７ｂがモノクロ表示の表示デバイスを用いている場合にも適切な表示を行うことが可能である。
【００５３】
（第２の実施形態）
図４は本発明の第２実施形態に係る携帯電話機の要部構成を示す機能ブロック図である。
【００５４】
図４に示すように本実施形態の携帯電話機は、アンテナ１、無線部２、ＣＤＭＡ信号処理部３、圧縮伸長処理部４、ＰＣＭ符号処理部５、通話部６、ユーザインタフェース部７、記憶部８、タイミング回路９および制御部１１を有している。すなわち本実施形態の携帯電話機は、前述の第１実施形態の携帯電話機における制御部１０に代えて制御部１１を備えたものとなっている。また記憶部８には、アドレス帳８ａが格納されている。
【００５５】
アドレス帳８ａは、電話番号に対応付けて、その電話番号が割り当てられた端末の所有者名などを登録しておく周知のものをベースとするものである。ただしアドレス帳８ａは、さらにアイコンを登録することが可能となっている点が周知のものとは異なっている。すなわち、アドレス帳登録時に予め用意されている複数のアイコンのうちの１つが指定された場合に、この指定されたアイコンを登録しておくものとなっている。
【００５６】
制御部１１は、例えばプロセッサを主体としてなり、ソフトウェア処理により各部の制御処理を行うことで、携帯電話機としての動作を実現する。また制御部１１は、例えば音声通話機能などのような携帯電話機における周知の一般的な機能を実現するための制御手段としての他に、チャット通信処理手段１１ａ、アイコン付加機能１１ｂ、メッセージ表示制御手段１１ｃおよびアイコン表示制御手段１１ｄとして動作する。
【００５７】
ここでチャット通信処理手段１１ａは、通信事業者などにより取り決められた手順に従って、チャットのためのメッセージの送受信を行うための処理を行う。アイコン付加機能１１ｂは、ユーザが指定した送信メッセージの先頭に所定の自分アイコンを付加し、この自分アイコンを付加した後の送信メッセージをチャット通信処理手段１１ａに送信させる。メッセージ表示制御手段１１ｃは、チャット通信処理手段１１ａにより送受信されるメッセージを表示部７ｂに表示させる。アイコン表示制御手段１１ｄは、メッセージ表示制御手段１１ｃにより表示部７ｂに表示される受信メッセージに対して所定の相手アイコンを付加したり、受信メッセージに予め含まれているアイコンを所定の相手アイコンに置き換えたりして相手アイコンを表示させる。
【００５８】
次に以上のように構成された携帯電話機の動作につき説明する。なお、音声通話機能などのような携帯電話機における一般的な機能を実現するための処理や、チャットのためのメッセージ送受信の処理は従来と同様であるのでその説明は省略する。そしてここでは、チャット実行時におけるメッセージの表示に関する動作につき詳しく説明する。
【００５９】
まず本実施形態では前述の第１実施形態と異なり、自分アイコンおよび相手アイコンとして使用するアイコンと、受信メッセージにおける相手アイコンの表示モードをユーザが任意に設定可能である。
【００６０】
そしてこのようなユーザ設定の要求がなされたならば制御部１１は、図５に示すようなチャットアイコン設定を実行する。
【００６１】
このチャットアイコン設定において制御部１１はまず、例えば図６（ａ）に示すような第１メニューを表示部７ｂに表示させた上で、そのメニュー内での項目の指定を受け付ける（ステップＳＴ２１）。図６（ａ）に示すように、第１メニューは相手アイコンおよび自分アイコンのいずれに関する設定を行うのかの指定を行わせるメニューである。そこで項目指定がなされたならば制御部１１は、指定されたのが相手アイコンおよび自分アイコンのいずれであるかを確認する（ステップＳＴ２２）。
【００６２】
相手アイコンが指定されたことを確認したならば制御部１１は、例えば図６（ｂ）に示すような第２メニューを表示部７ｂに表示させた上で、そのメニュー内での項目の指定を受け付ける（ステップＳＴ２３）。図６（ｂ）に示すように、第２メニューは相手アイコンとして受信アイコン、固定アイコンおよびアドレス帳アイコンのいずれを使用するかの指定を行わせるメニューである。なお受信アイコンとは、受信メッセージの先頭に予め付加されているアイコンである。固定アイコンとは、本携帯電話機に相手に拘わらずに固定的に使用するものとして登録されるアイコンである。そしてアドレス帳アイコンとは、アドレス帳８ａに登録されているアイコンである。そして項目指定がなされたならば制御部１１は、指定されたのが受信アイコン、固定アイコンおよびアドレス帳アイコンのいずれであるかを確認する（ステップＳＴ２４）。
【００６３】
受信アイコンが指定されたことを確認した場合に制御部１１は、相手アイコンの表示モードとして受信アイコンモードを設定する（ステップＳＴ２５）。またアドレス帳アイコンが指定されたことを確認した場合に制御部１１は、相手アイコンの表示モードとしてアドレス帳アイコンモードを設定する（ステップＳＴ２６）。そしてこのように受信アイコンモードまたはアドレス帳アイコンモードを設定したならば制御部１１は、処理をステップＳＴ２１に戻す。
【００６４】
固定アイコンが指定されたことをステップＳＴ２４で確認したならば制御部１１は、相手アイコンの表示モードとして固定アイコンモードを設定する（ステップＳＴ２７）。続いて制御部１１は、図６（ｃ）に示すような第３メニューを表示部７ｂに表示させた上で、そのメニュー内での項目の指定を受け付ける（ステップＳＴ２８）。図６（ｃ）に示すように、第３メニューは固定アイコンとして任意のアイコンおよびデフォルトのアイコンのいずれを使用するのかの指定を行わせるメニューである。そこで項目指定がなされたならば制御部１１は、指定されたのが任意アイコンおよびデフォルトアイコンのいずれであるかを確認する（ステップＳＴ２９）。
【００６５】
デフォルトアイコンが指定されたことを確認したならば制御部１１は、予め定められているデフォルトアイコンを固定アイコンとして登録する（ステップＳＴ３０）。しかし、任意アイコンが指定されたことを確認したならば制御部１１は、例えば図６（ｄ）に示すような第４メニューを表示部７ｂに表示させた上で、そのメニュー内での項目の指定を受け付ける（ステップＳＴ３１）。図６（ｄ）に示すように第４メニューは、予め用意されている多数のアイコンのうちの１つの指定を行わせるメニューである。そこで項目指定がなされたならば制御部１１は、指定されたアイコンを固定アイコンとして登録する（ステップＳＴ３２）。そしてこのようにステップＳＴ３０またはステップＳＴ３２で固定アイコンの登録を行ったならば制御部１１は、処理をステップＳＴ２１に戻す。なお、第４メニューにて指定可能なアイコンは、通信事業者が規定している絵文字とする。
【００６６】
さて、自分アイコンが指定されたことをステップＳＴ２２にて確認した場合に制御部１１は、第４メニューを表示部７ｂに表示させた上で、そのメニュー内での項目の指定を受け付ける（ステップＳＴ３３）。そして項目指定がなされたならば制御部１１は、指定されたアイコンを自分アイコンとして登録する（ステップＳＴ３４）。そしてこのようにして自分アイコンの登録を行ったならば制御部１１は、処理をステップＳＴ２１に戻す。
【００６７】
以上のような処理により、アイコンに関する各種設定をユーザ指示に応じて任意に行う。そして設定が完了したならばユーザは、第１メニューの表示状態にて所定の終了キーを押下する。そこで制御部１１は、ステップＳＴ２１において終了キーが押下されたことを確認したならば、チャットアイコン設定を終了する。
【００６８】
また、第２メニュー、第３メニューおよび第４メニューを表示している状態で所定の戻るキーが押下されたならば制御部１１は、図５に破線で示すように処理をステップＳＴ２１に戻す。
【００６９】
さて、所定の開始手順を行ってチャット可能状態となったならば制御部１１は、図７に示すようなチャット処理を実行する。
【００７０】
このチャット処理において制御部１１はまず、チャットの終了が指示されるか、受信メッセージが受信されるか、あるいは送信メッセージの指定が開始されるのを待ち受ける（ステップＳＴ４１乃至ステップＳＴ４３）。
【００７１】
送信メッセージの指定が開始されたことをステップＳＴ４３にて確認したならば制御部１１は、例えば入力部７ａでの所定の操作によりなされる送信メッセージの指定を受け付けつつ、その送信メッセージの送信が指定されるのを待ち受ける（ステップＳＴ４４およびステップＳＴ４５）。そして送信指定がなされたことをステップＳＴ４５にて確認したならば制御部１１は続いて、自動付加機能がＯＮに設定されているか否かを確認する（ステップＳＴ４６）。
【００７２】
ここで自動付加機能がＯＮに設定されていることを確認したならば制御部１１は、ステップＳＴ４４で受け付けた送信メッセージ先頭に予め登録されている自分アイコンを付加する（ステップＳＴ４７）。なお制御部１１は、自動付加機能がＯＦＦに設定されていることをステップＳＴ４６にて確認した場合にはステップＳＴ４７における自分アイコンの付加は行わない。
【００７３】
こののちに制御部１１は、ステップＳＴ４７で自分アイコンが付加された送信メッセージまたはステップＳＴ４４で受け付けたままの送信メッセージを送信する（ステップＳＴ４８）。さらに制御部１１は、実際に送信した送信メッセージを含めるようにチャット画面を更新する（ステップＳＴ４９）。そしてチャット画面の更新を完了したならば制御部１１は、ステップＳＴ１乃至ステップＳＴ３の待機状態に戻る。
【００７４】
一方、受信メッセージが受信されたことをステップＳＴ４２にて確認したならば制御部１１は、相手アイコンの表示モードを確認する（ステップＳＴ５０）。
【００７５】
相手アイコンの表示モードとして固定アイコンモードが設定されていることを確認したならば制御部１１は、今回受信された受信メッセージの先頭文字を登録されている固定アイコンとする（ステップＳＴ５１）。このとき制御部１１は、実際に受信された受信メッセージの先頭文字が自分アイコンとして使用され得る絵文字であるか否かを確認して、そうである場合にはその先頭文字を固定アイコンで置き換え、またそうではない場合には先頭文字より前に固定アイコンを付加する。
【００７６】
相手アイコンの表示モードとしてアドレス帳アイコンモードが設定されていることをステップＳＴ５０で確認したならば制御部１１は、アドレス帳８ａに現在実行中のチャットの相手に関するアイコン登録がなされているか否かを確認する（ステップＳＴ５２）。そして該当するアイコンの登録がなされていることを確認したならば制御部１１は、今回受信された受信メッセージの先頭文字をそのアドレス帳８ａに登録されたアイコンとする（ステップＳＴ５３）。このとき制御部１１は、実際に受信された受信メッセージの先頭文字が自分アイコンとして使用され得る絵文字であるか否かを確認して、そうである場合にはその先頭文字をアドレス帳８ａに登録されたアイコンで置き換え、またそうではない場合にはアドレス帳８ａに登録されたアイコンを先頭文字より前に付加する。また、該当するアイコンが登録されていないことをステップＳＴ５３にて確認した場合に制御部１１は、今回受信された受信メッセージの先頭文字を予め相手アイコンとして定められているデフォルトアイコンとする（ステップＳＴ５４）。このとき制御部１１は、実際に受信された受信メッセージの先頭文字が自分アイコンとして使用され得る絵文字であるか否かを確認して、そうである場合にはその先頭文字をデフォルトアイコンで置き換え、またそうではない場合には先頭文字より前にデフォルトアイコンを付加する。
【００７７】
なお、相手アイコンの表示モードとして受信アイコンモードが設定されていることをステップＳＴ５０にて確認したならば制御部１１は、ステップＳＴ５１、ステップＳＴ５３あるいはステップＳＴ５４のような処理を行わず、受信メッセージを受信されたままとしておく。
【００７８】
そして制御部１１は、ステップＳＴ５１、ステップＳＴ５３あるいはステップＳＴ５４のいずれかで先頭文字が相手アイコンとされたか、あるいは受信されたままとされた受信メッセージを含めるようにチャット画面を更新する。チャット画面の更新を完了したならば制御部１１は、ステップＳＴ４１乃至ステップＳＴ４３の待機状態に戻る。
【００７９】
なお、終了指示がなされたことをステップＳＴ４１で確認したならば、制御部１１はそれをもってチャット処理を終了する。
【００８０】
図８は自動付加機能がＯＮ設定されるとともに、相手アイコンの表示モードとして受信アイコンモードが設定されている場合のチャット画面の変化の一例を示す図である。
【００８１】
この図に示すように、まずユーザが「おはよう！」なる送信メッセージを指定した場合、この「おはよう！」なる送信メッセージの先頭に自分アイコンＩ１１が付加された送信メッセージが送信される。そしてチャット画面は符号Ｄ１１を付して示すように、実際に送信した、自分アイコンＩ１１を含む送信メッセージを示すものとなる。
【００８２】
続いて、先頭にアイコンＩ１２が付加された「おはよう！」なる受信メッセージを受信したならば、チャット画面は符号Ｄ１２を付して示すように、実際に受信したアイコンＩ１２を含む受信メッセージを、表示済みのメッセージに続けて示すものとなる。
【００８３】
さらに、ユーザが「昨日、テレビで○○を見た？」なる送信メッセージを指定した場合、この「昨日、テレビで○○を見た？」なる送信メッセージの先頭に自分アイコンＩ１１が付加された送信メッセージが送信される。そしてチャット画面は符号Ｄ１３を付して示すように、実際に送信した、自分アイコンＩ１１を含む送信メッセージを、表示済みのメッセージに続けて示すものとなる。
【００８４】
図９は自動付加機能がＯＮ設定されるとともに、相手アイコンの表示モードとして固定アイコンモードまたはアドレス帳アイコンモードが設定されている場合のチャット画面の変化の一例を示す図である。
【００８５】
この図に示すように、まずユーザが「おはよう！」なる送信メッセージを指定した場合、この「おはよう！」なる送信メッセージの先頭に自分アイコンＩ１１が付加された送信メッセージが送信される。そしてチャット画面は符号Ｄ２１を付して示すように、実際に送信した、自分アイコンＩ１１を含む送信メッセージを示すものとなる。
【００８６】
続いて、先頭にアイコンＩ１２が付加された「おはよう！」なる受信メッセージを受信したならば、チャット画面は符号Ｄ２２を付して示すように、実際に受信した受信メッセージに含まれたアイコンＩ１２を相手アイコンＩ１３（固定アイコン、アドレス帳８ａに登録されたアイコンあるいはデフォルトのアイコン）に置き換えたメッセージを、表示済みのメッセージに続けて示すものとなる。
【００８７】
さらに、ユーザが「昨日、テレビで○○を見た？」なる送信メッセージを指定した場合、この「昨日、テレビで○○を見た？」なる送信メッセージの先頭に自分アイコンＩ１１が付加された送信メッセージが送信される。そしてチャット画面は符号Ｄ２３を付して示すように、実際に送信した、自分アイコンＩ１１を含む送信メッセージを、表示済みのメッセージに続けて示すものとなる。
【００８８】
このように本実施形態によれば、チャット画面にて示されるメッセージのそれぞれの先頭に、送信メッセージには自分アイコンＩ１１を、また受信メッセージには相手アイコンＩ１２，Ｉ１３をそれぞれ表示する。従って、各メッセージが送信メッセージであるのか、それとも受信メッセージであるのかを各メッセージに付加されたアイコンに基づいて容易に区別することが可能となる。しかも、メッセージの先頭にアイコンを付加するだけであるから、容易に見分けることが可能であるとともに、見栄えも良い。
【００８９】
さらに本実施形態によれば、各メッセージの先頭にアイコンが表示されているから、このアイコンにより各メッセージの先頭、すなわち並んで示された複数のメッセージの切れ目を容易に認識することが可能となる。特に１つのメッセージが複数行に渡って表示される場合に、そのメッセージの始まりをアイコンから容易に識別可能となる。これは、表示部７ｂの１行の表示可能文字数が限られる携帯電話機などにおいては極めて有効なことである。
【００９０】
また本実施形態によれば、アイコンが表示できれば良いのであるから、表示部７ｂがモノクロ表示の表示デバイスを用いている場合にも適切な表示を行うことが可能である。
【００９１】
さらに本実施形態によれば、自分アイコンを自動的に付加した送信メッセージを送信するので、相手側の端末が本実施形態の携帯電話機とは異なる種類の端末であってアイコンを自動付加する機能を有していないとしても、相手側の端末で自分アイコンが付加されたメッセージを表示させることができる。この結果、相手側の端末でも自分が送ったメッセージを容易に識別することが可能となる。
【００９２】
また本実施形態によれば、受信メッセージの先頭にアイコンが付加されていた場合、そのアイコンを自端末に相手アイコンとして登録されたアイコンに置き換えて表示することも可能である。この結果、ユーザが希望するアイコンを相手アイコンとして表示することができ、見やすくすることができる。また、相手が自分アイコンと同じアイコンを付加したメッセージを送ってきた場合、そのままで表示すると送信メッセージと受信メッセージとの区別がアイコンからは付かなくなってしまうが、相手アイコンを置き換えることでこのような不具合を回避することが可能である。そして、アドレス帳アイコンモードを設定するとともに、チャットを行う複数の相手に対してそれぞれ異なるアイコンを登録しておけば、相手アイコンから相手を確認することも可能となり、さらに便利である。
【００９３】
また本実施形態によれば、相手アイコンの表示モードとして固定アイコンモード、受信アイコンモードおよびアドレス帳アイコンモードを備えて、これらをユーザが任意に有効とすることを可能としている。この結果、相手アイコンの表示形態を任意に変更することが可能であり、ユーザニーズに応じた適切な表示を行うことが可能となる。
【００９４】
なお、本発明は前記各実施形態に限定されるものではない。例えば前記第１実施形態においても、前記第２実施形態のように自分アイコンや相手アイコンとして使用するアイコンをユーザが任意に設定可能とすることができる。
【００９５】
また前記第２実施形態では、相手アイコンの表示モードとして固定アイコンモード、受信アイコンモードおよびアドレス帳アイコンモードを備えているが、これらのモードのうちのいずれか一部のみを設けるようにしても良い。
【００９６】
また前記第２実施形態では、相手アイコンをアドレス帳に登録するようにしているが、相手アイコンと相手先との対応を示すデータテーブルをアドレス帳とは全く別に備えることとしても良い。
【００９７】
また前記各実施形態では、ＣＤＭＡ方式の携帯電話機を例示しているが、他の方式の携帯通信端末であっても良いし、あるいはＰＨＳ端末のような他種の携帯通信端末であっても良い。
【００９８】
このほか、本発明の要旨を逸脱しない範囲で種々の変形実施が可能である。
【００９９】
【発明の効果】
第１の本発明によれば、送信手段により送信される送信メッセージ情報が表す送信メッセージと受信手段により受信された受信メッセージ情報が表す受信メッセージとを、前記送信手段および前記受信手段での送信および受信のタイミング順で表示手段に表示することとし、かつ送信メッセージの先頭には第１絵記号を、また受信メッセージの先頭には第２絵記号をそれぞれ付加して表示することとしたので、表示手段に表示される各メッセージが送信メッセージおよび受信メッセージのいずれであるかを、その先頭に付加されている絵記号が第１絵記号および第２絵記号であるかを確認することで区別することが可能となり、この結果、送信メッセージと受信メッセージとを見分けやすく、かつ見栄えもよい表示を行うことが可能な携帯通信端末となる。
【０１００】
また、第１絵記号および第２絵記号をユーザが任意に変更することが可能となることにより、第１絵記号および第２絵記号をユーザニーズに応じて柔軟に変更できる便利な携帯通信端末になる。
【０１０４】
また、第２の発明によれば、更に通信相手毎に第２絵記号を異ならせることが可能となり、この結果、第２絵記号に基づいて、受信メッセージの送り元を確認することも可能とすることができる。
【図面の簡単な説明】
【図１】本発明の第１実施形態に係る携帯電話機の要部構成を示す機能ブロック図。
【図２】図１中の制御部１０によるチャット処理のフローチャート。
【図３】図１に示す携帯電話機にて自動付加機能がＯＮ設定されている場合のチャット画面の変化の一例を示す図。
【図４】本発明の第２実施形態に係る携帯電話機の要部構成を示す機能ブロック図。
【図５】図２中の制御部１１によるチャットアイコン設定のフローチャート。
【図６】図５に示すチャットアイコン設定において表示するメニュー画面の一例を示す図。
【図７】図４中の制御部１１によるチャット処理のフローチャート。
【図８】図４に示す携帯電話機にて自動付加機能がＯＮ設定されるとともに、相手アイコンの表示モードとして受信アイコンモードが設定されている場合のチャット画面の変化の一例を示す図。
【図９】図４に示す携帯電話機にて自動付加機能がＯＮ設定されるとともに、相手アイコンの表示モードとして固定アイコンモードまたはアドレス帳アイコンモードが設定されている場合のチャット画面の変化の一例を示す図。
【符号の説明】
１…アンテナ
２…無線部
３…ＣＤＭＡ信号処理部
４…圧縮伸長処理部
５…ＰＣＭ符号処理部
６…通話部
７…ユーザインタフェース部
８…記憶部
８ａ…アドレス帳
９…タイミング回路
１０…制御部
１０ａ…チャット通信処理手段
１０ｂ…メッセージ表示制御手段
１０ｃ…アイコン表示制御手段
１１…制御部
１１ａ…チャット通信処理手段
１１ｂ…アイコン付加機能
１１ｃ…メッセージ表示制御手段
１１ｄ…アイコン表示制御手段
【図１】
0003943882.tif 000002
【図２】
0003943882.tif 000003
【図３】
0003943882.tif 000004
【図４】
0003943882.tif 000005
【図５】
0003943882.tif 000006
【図６】
0003943882.tif 000007
【図７】
0003943882.tif 000008
【図８】
0003943882.tif 000009
【図９】
0003943882.tif 000010